(57)【要約】【課題】有効化カードが示している販売対象の提供を受けるための作業負担を軽減することができる商品販売データ処理装置およびプログラムを提供する。【解決手段】商品販売データ処理装置は、商品販売手段と、送信手段と、受信手段と、生成手段と、出力手段とを備える。前記商品販売手段は、支払いが確定した時点でＰＩＮコードを有効化する有効化商品の代金の支払いに係る商品販売処理を実行する。前記送信手段は、前記商品販売手段における支払いの確定後、前記有効化商品を識別可能な識別情報を送信する。前記受信手段は、前記送信手段が送信した識別情報の前記有効化商品が示している販売対象の提供を受けるために、前記ＰＩＮコードの送信に関する有効化商品情報を受信する。前記生成手段は、前記受信手段が受信した前記有効化商品情報を基に、コードシンボル画像を生成する。前記出力手段は、前記生成手段が生成した前記コードシンボル画像を出力する。【選択図】図１０
2016181147.tif 000002
【特許請求の範囲】
【請求項１】
支払いが確定した時点でＰＩＮ（Personal  Identification  Number）コードを有効化する有効化商品の代金の支払いに係る商品販売処理を実行する商品販売手段と、
前記商品販売手段における支払いの確定後、前記有効化商品を識別可能な識別情報を送信する送信手段と、
前記送信手段が送信した識別情報の前記有効化商品が示している販売対象の提供を受けるために、前記ＰＩＮコードの送信に関する有効化商品情報を受信する受信手段と、
前記受信手段が受信した前記有効化商品情報を基に、コードシンボル画像を生成する生成手段と、
前記生成手段が生成した前記コードシンボル画像を出力する出力手段と、
を備える商品販売データ処理装置。
【請求項２】
前記受信手段は、前記ＰＩＮコードを送信することができるＷｅｂサイトのアドレスを有する前記有効化商品情報を受信し、
前記生成手段は、前記Ｗｅｂサイトを表示させる前記コードシンボル画像を生成する、
請求項１に記載の商品販売データ処理装置。
【請求項３】
前記受信手段は、前記ＰＩＮコードを有する前記有効化商品情報を受信し、
前記生成手段は、送信する前記ＰＩＮコードを入力する入力画面の入力欄に、前記ＰＩＮコードが入力された状態の前記入力画面を表示させる前記コードシンボル画像を生成する、
請求項１または２に記載の商品販売データ処理装置。
【請求項４】
前記生成手段は、前記有効化商品情報ごとに前記コードシンボル画像を生成し、
前記出力手段は、前記有効化商品情報ごとの前記コードシンボル画像を出力する、
請求項１乃至３の何れか１つに記載の商品販売データ処理装置。
【請求項５】
前記出力手段は、前記コードシンボル画像が何れの前記有効化商品に係るコードシンボル画像であるかを識別可能な態様で出力する、
請求項１乃至４の何れか１つに記載の商品販売データ処理装置。
【請求項６】
コンピュータを、
支払いが確定した時点でＰＩＮコードを有効化する有効化商品の代金の支払いに係る商品販売処理を実行する商品販売手段と、
前記商品販売手段における支払いの確定後、前記有効化商品を識別可能な識別情報を送信する送信手段と、
前記送信手段が送信した識別情報の前記有効化商品が示している販売対象の提供を受けるために、前記ＰＩＮコードの送信に関する有効化商品情報を受信する受信手段と、
前記受信手段が受信した前記有効化商品情報を基に、コードシンボル画像を生成する生成手段と、
前記生成手段が生成した前記コードシンボル画像を出力する出力手段と、
として機能させるプログラム。
【発明の詳細な説明】
【技術分野】
【０００１】
本発明の実施形態は、商品販売データ処理装置およびプログラムに関する。
【背景技術】
【０００２】
近年、店頭でプリペイドカードを陳列して販売する小売店が増加傾向にある。例えば、プリペイドカードには、音楽ダウンロード用のプリペイドカードや、ゲームダウンロード用のプリペイドカードや、電子マネーチャージ用のプリペイドカード等がある。
【０００３】
プリペイドカードには、ＰＯＳ（Point  Of  Sales）端末での支払いの確定により支払い対象のプリペイドカードに付されているＰＩＮ（Personal  Identification  Number）コードを有効化するプリペイドカードがある。このようなプリペイドカードを発行した企業は、有効化により使用可能となったＰＩＮコードが所定のＷｅｂサイトに入力された場合などに、ダウンロードやチャージなどにより商品を提供する。以下、ＰＯＳ端末での支払いが確定した時点でＰＩＮコードを有効化する技術を利用したプリペイドカードのことを「有効化カード」と称する。
【０００４】
顧客は、ＰＯＳ端末での支払いが確定すると有効化カードにあるスクラッチ印刷を削る。まず、顧客は、ＰＩＮコードを入力するＷｅｂサイトなどを表示させる。次に、顧客は、スクラッチ印刷を削ることで出現したＰＩＮコードを所定のＷｅｂサイト等に入力する。これにより、顧客は、有効化カードが示す商品のダウンロードや、電子マネーのチャージを実行することができる。
【０００５】
このように、顧客は、有効化カードが示している販売対象の提供を受けるには様々な作業が必要であり改善の余地があった。
【発明の概要】
【発明が解決しようとする課題】
【０００６】
本発明が解決しようとする課題は、有効化カードが示している販売対象の提供を受けるための作業負担を軽減することができる商品販売データ処理装置およびプログラムを提供することである。
【課題を解決するための手段】
【０００７】
実施形態の商品販売データ処理装置は、商品販売手段と、送信手段と、受信手段と、生成手段と、出力手段とを備える。前記商品販売手段は、支払いが確定した時点でＰＩＮ（Personal  Identification  Number）コードを有効化する有効化商品の代金の支払いに係る商品販売処理を実行する。前記送信手段は、前記商品販売手段における支払いの確定後、前記有効化商品を識別可能な識別情報を送信する。前記受信手段は、前記送信手段が送信した識別情報の前記有効化商品が示している販売対象の提供を受けるために、前記ＰＩＮコードの送信に関する有効化商品情報を受信する。前記生成手段は、前記受信手段が受信した前記有効化商品情報を基に、コードシンボル画像を生成する。前記出力手段は、前記生成手段が生成した前記コードシンボル画像を出力する。
【図面の簡単な説明】
【０００８】
【図１】図１は、本実施形態にかかる有効化システムの概略構成図である。
【図２】図２は、ＰＯＳ端末のハードウェア構成の一例を示すブロック図である。
【図３】図３は、店舗サーバのハードウェア構成の一例を示すブロック図である。
【図４】図４は、商品マスタのデータ構成の一例を示す概念図である。
【図５】図５は、有効化サーバのハードウェア構成の一例を示すブロック図である。
【図６】図６は、有効化カードマスタのデータ構成の一例を示す概念図である。
【図７】図７は、企業サーバのハードウェア構成の一例を示すブロック図である。
【図８】図８は、ＰＩＮコードマスタのデータ構成の一例を示す概念図である。
【図９】図９は、顧客端末のハードウェア構成の一例を示すブロック図である。
【図１０】図１０は、有効化システムが有する各装置の機能構成を示すブロック図である。
【図１１】図１１は、有効化カードが含まれているレシートの一例を示す説明図である。
【図１２】図１２は、有効化カードが含まれているレシートの一例を示す説明図である。
【図１３】図１３は、有効化カード情報画面の一例を示す説明図である。
【図１４】図１４は、ＰＩＮコード入力画面の一例を示す説明図である。
【図１５】図１５は、会計処理の流れを示すフローチャートである。
【図１６】図１６は、有効化処理の流れを示すフローチャートである。
【図１７】図１７は、商品提供処理の流れを示すフローチャートである。
【発明を実施するための形態】
【０００９】
以下、本実施の一形態を図面に基づいて説明する。
【００１０】
図１は、本実施形態にかかる有効化システム１の概略構成図である。有効化システム１は、ＰＯＳ端末１０、店舗サーバ２０、有効化サーバ３０、企業サーバ４０、有効化カード５０及び顧客端末６０を備える。
【００１１】
ＰＯＳ端末１０は、有効化カード５０などの商品を販売する店舗に設置される。そして、ＰＯＳ端末１０は、商品の売上登録処理を行う商品販売データ処理装置である。店舗サーバ２０は、ＰＯＳ端末１０から受信したデータやその他データを統括管理し、店舗の売上管理、在庫管理、経費管理等を行うサーバ装置である。店舗サーバ２０とＰＯＳ端末１０とは、ＬＡＮ（Local  Area  Network）等の店舗内ネットワークＮ１を介して通信可能に接続される。
【００１２】
有効化サーバ３０は、有効化カード５０の有効化処理等を管理するサーバ装置である。また、有効化サーバ３０は、有効化カード５０のＰＩＮ（Personal  Identification  Number）コードが有効であるか否かを記憶する。
【００１３】
企業サーバ４０は、有効化カード５０を提供する企業が管理するサーバ装置である。また、企業サーバ４０は、有効化カード５０が販売対象として示している商品を顧客に提供するためのＷｅｂサイトを管理する。ここで、商品の提供とは、電子マネーのチャージや、商品をダウンロードすることができる状態にすることなどである。
【００１４】
有効化商品である有効化カード５０は、ＰＯＳ端末１０での支払いが確定した時点で、有効化カード５０に記載されているＰＩＮコードを有効化する技術を使用したプリペイドカードである。さらに詳しくは、有効化カード５０は、支払いが確定後、有効化カード５０を提供する企業の企業サーバ４０に、ＰＩＮコードを送信することで有効化カード５０が販売対象として示している商品の提供を受けることができるプリペイドカードである。なお、有効化カード５０は、商品に限らずサービスを販売対象としてもよい。
【００１５】
有効化カード５０は、コードシンボル５１と、スクラッチ５２とを有する。コードシンボル５１は、商品コードと、有効化カードコードとが含まれる図形である。商品コードとは、商品を識別可能な識別情報である。そして、商品コードは、有効化カード５０を販売する店舗が商品を識別するために使用する識別情報である。有効化カードコードとは、有効化カード５０を識別可能な識別情報である。そして、有効化カードコードは、有効化サーバ３０が有効化カード５０を識別するために使用する識別情報である。スクラッチ５２は、有効化カード５０のＰＩＮコードを隠すためのものである。顧客は、Ｗｅｂサイトに有効化されたＰＩＮコードを入力することで、有効化カード５０が示す販売対象の提供を受けることができる。
【００１６】
顧客端末６０は、顧客が使用する携帯端末等である。そして、顧客端末６０は、企業サーバ４０が管理するＷｅｂサイトにアクセスすることができる。さらに、顧客端末６０は、アクセスしたＷｅｂサイトにＰＩＮコードを入力することができる。なお、顧客端末６０は、携帯端末に限らず、パーソナルコンピュータなどの情報処理装置であってもよい。
【００１７】
そして、店舗サーバ２０と、有効化サーバ３０と、企業サーバ４０と、顧客端末６０とは、インターネットやＶＰＮ（Virtual  Private  Network）等のネットワークＮ２を介して通信可能に接続される。
【００１８】
有効化システム１においてＰＯＳ端末１０は、顧客が選択した販売対象の有効化カード５０のコードシンボル５１を読み取る。そして、ＰＯＳ端末１０は、有効化カード５０の支払いが確定すると、店舗サーバ２０を介して、有効化カードコードを有効化サーバ３０に送信する。有効化サーバ３０は、有効化カードコードに対応付けられたＰＩＮコードを有効にする。
【００１９】
顧客端末６０は、有効化カード５０の支払いが確定し、ＰＩＮコードが有効化された後に、所定のＷｅｂサイト等にＰＩＮコードを入力する。所定のＷｅｂサイトを運営する企業サーバ４０は、ＰＩＮコードが有効であるか否かを有効化サーバ３０に問い合わせる。有効化サーバ３０は、ＰＩＮコードの状態を企業サーバ４０に応答する。企業サーバ４０は、ＰＩＮコードが有効である場合に、ＰＩＮコードに対応付けられた商品を顧客に提供する。一方、企業サーバ４０は、ＰＩＮコードが無効である場合に、ＰＩＮコードに対応付けられた商品を顧客に提供しない。これにより、有効化システム１は、有効化カード５０を使用した商取引を成立させる。
【００２０】
次に、上記した各装置のハードウェア構成について説明する。
【００２１】
まず、ＰＯＳ端末１０について説明する。図２は、ＰＯＳ端末１０のハードウェア構成の一例を示すブロック図である。
【００２２】
ＰＯＳ端末１０は、ＣＰＵ、ＲＯＭ、及びＲＡＭ等を有するコンピュータ構成の制御部１０１を備える。また、制御部１０１は、バス１１１を介して、キーボード１０２、バーコードリーダ１０３、カードリーダライタ１０４、非接触カードリーダライタ１０５、通信インタフェース１０６、プリンタ１０７、第１表示部１０８、第２表示部１０９、及び記憶部１１０と接続している。
【００２３】
キーボード１０２は、ＰＯＳ端末１０を操作する各種情報を入力する入力装置である。キーボード１０２は、置数キー、クリアキー、戻りキー、締めキー、及び現計キーを備える。置数キーは、商品コードや金額等の数字を入力するためのキーである。クリアキーは、エラー発生時などに操作を取り消すためのキーである。戻りキーは、現在の操作をキャンセルして直前の画面に戻すためのキーである。締めキーは、売上登録を完了して売上合計金額の算出を宣言するためのキーである。現計キーは、預かり金額を入力後に、現計キーを入力することで預かり金額を登録するためのキーである。ＰＯＳ端末１０は、キーボード１０２の現計キーが押下された場合に、有効化カード５０の支払いが確定したと判定する。
【００２４】
バーコードリーダ１０３は、商品に付されたバーコードを光学的に読み取る。カードリーダライタ１０４は、磁気記憶式のポイントカード等に対してデータの読み書きを行う。
【００２５】
非接触カードリーダライタ１０５は、ＮＦＣ（Near  Field  Communication）などの近距離無線通信により、非接触ＩＣカードのＩＣタグ又はＩＣタグを搭載した携帯型電子機器に対して、情報の書き込み及び読み込みを実行する。通信インタフェース１０６は、店舗内ネットワークＮ１を介した通信を制御する。
【００２６】
プリンタ１０７は、レシート等を印字する印刷装置である。第１表示部１０８は、例えば、店員が参照する液晶ディスプレイなどの表示装置である。そして、第１表示部１０８には、表示画面上にタッチパネルが積層されている。第２表示部１０９は、例えば、顧客が参照する液晶ディスプレイなどの表示装置である。そして、第２表示部１０９には、表示画面上にタッチパネルが積層されている。記憶部１１０は、ＨＤＤ（Hard  Disk  Drive）やＳＳＤ（Solid  State  Drive）などの記憶装置である。
【００２７】
次に、店舗サーバ２０について説明する。図３は、店舗サーバ２０のハードウェア構成の一例を示すブロック図である。
【００２８】
店舗サーバ２０は、ＣＰＵ、ＲＯＭ、及びＲＡＭ等を有するコンピュータ構成の制御部２０１を備える。また、制御部２０１は、バス２０６を介して、キーボード２０２、通信インタフェース２０３、表示部２０４、及び記憶部２０５と接続している。
【００２９】
キーボード２０２は、店舗サーバ２０を操作する各種情報を入力する入力装置である。通信インタフェース２０３は、店舗内ネットワークＮ１及びネットワークＮ２を介した通信を制御する。表示部２０４は、例えば、液晶ディスプレイなどの表示装置である。記憶部２０５は、ＨＤＤやＳＳＤなどの記憶装置である。
【００３０】
そして、記憶部２０５は、商品マスタ２０５ａを記憶している。ここで、図４は、商品マスタ２０５ａのデータ構成の一例を示す概念図である。商品マスタ２０５ａは、商品コードと、有効化カードコードと、商品情報と、Ｗｅｂアドレスとを有する。商品コードは、商品を識別可能な識別情報である。有効化カードコードとは、有効化カード５０を識別可能な識別情報である。商品情報は、商品に関する情報である。商品情報とは、例えば、商品名称や、商品価格などである。Ｗｅｂアドレスは、ＰＩＮコードを入力するＷｅｂサイトのアドレスなどである。
【００３１】
次に、有効化サーバ３０について説明する。図５は、有効化サーバ３０のハードウェア構成の一例を示すブロック図である。
【００３２】
有効化サーバ３０は、ＣＰＵ、ＲＯＭ、及びＲＡＭ等を有するコンピュータ構成の制御部３０１を備える。また、制御部３０１は、バス３０６を介して、キーボード３０２、通信インタフェース３０３、表示部３０４、及び記憶部３０５と接続している。
【００３３】
キーボード３０２は、有効化サーバ３０を操作する各種情報を入力する入力装置である。通信インタフェース３０３は、ネットワークＮ２を介した通信を制御する。表示部３０４は、例えば、液晶ディスプレイなどの表示装置である。記憶部３０５は、ＨＤＤやＳＳＤなどの記憶装置である。
【００３４】
そして、記憶部３０５は、有効化カードマスタ３０５ａを記憶している。ここで、図６は、有効化カードマスタ３０５ａのデータ構成の一例を示す概念図である。有効化カードマスタ３０５ａは、有効化カードコードと、ＰＩＮコードと、有効化状態とを有する。有効化カードコードは、有効化カード５０を識別可能な識別情報である。ＰＩＮコードは、有効化カード５０が示している商品の提供を受けるための暗証番号である。有効化状態は、ＰＩＮコードが有効であるか否かの状態を示す情報である。
【００３５】
次に、企業サーバ４０について説明する。図７は、企業サーバ４０のハードウェア構成の一例を示すブロック図である。
【００３６】
企業サーバ４０は、ＣＰＵ、ＲＯＭ、及びＲＡＭ等を有するコンピュータ構成の制御部４０１を備える。また、制御部４０１は、バス４０６を介して、キーボード４０２、通信インタフェース４０３、表示部４０４、及び記憶部４０５と接続している。
【００３７】
キーボード４０２は、企業サーバ４０を操作する各種情報を入力する入力装置である。通信インタフェース４０３は、ネットワークＮ２を介した通信を制御する。表示部４０４は、例えば、液晶ディスプレイなどの表示装置である。記憶部４０５は、ＨＤＤやＳＳＤなどの記憶装置である。
【００３８】
そして、記憶部４０５は、ＰＩＮコードマスタ４０５ａを記憶している。ここで、図８は、ＰＩＮコードマスタ４０５ａのデータ構成の一例を示す概念図である。ＰＩＮコードマスタ４０５ａは、ＰＩＮコードと、商品とを有する。ＰＩＮコードは、上述のＰＩＮコードと同じである。商品は、例えば、電子マネーや、ゲームや、音楽などである。
【００３９】
次に、顧客端末６０について説明する。図９は、顧客端末６０のハードウェア構成の一例を示すブロック図である。
【００４０】
顧客端末６０は、ＣＰＵ、ＲＯＭ、及びＲＡＭ等を有するコンピュータ構成の制御部６０１を備える。また、制御部６０１は、バス６０７を介して、撮像部６０２、通信インタフェース６０３、表示部６０４、タッチパネル６０５、及び記憶部６０６と接続している。
【００４１】
撮像部６０２は、ＣＣＤ（Charge  Coupled  Device）やＣＭＯＳ（Complementary  Metal-Oxide  Semiconductor）等の撮像素子を有する撮像装置である。通信インタフェース６０３は、ネットワークＮ２を介した通信を制御する。表示部６０４は、例えば、液晶ディスプレイなどの表示装置である。そして、表示部６０４は、タッチパネル６０５が積層されている。タッチパネル６０５は、顧客端末６０を操作する各種情報を入力する入力装置である。また、顧客端末６０は、キーボード等の各種操作を入力する入力装置を備えていてもよい。記憶部６０６は、ＨＤＤやＳＳＤなどの記憶装置である。
【００４２】
次に、有効化システム１が有する各装置の機能構成について説明する。図１０は、有効化システム１が有する各装置の機能構成を示すブロック図である。
【００４３】
まず、ＰＯＳ端末１０の機能構成について説明する。制御部１０１のＣＰＵは、記憶部１１０のプログラムをＲＡＭに展開し、プログラムに従って動作することで、図１０に示す各機能部をＲＡＭ上に生成する。具体的には、ＰＯＳ端末１０は、機能部として、売上登録部１０１１と、有効化要求部１０１２と、通信制御部１０１３と、コードシンボル生成部１０１４と、レシート発行部１０１５と、表示制御部１０１６とを備える。
【００４４】
商品販売手段である売上登録部１０１１は、入力された商品コードを有する商品の代金の支払いに係る商品販売処理を実行する。具体的には、売上登録部１０１１は、バーコードリーダ１０３や、キーボード１０２等を介した商品コードの入力を受け付ける。また、売上登録部１０１１は、顧客が差し出した代金を店員が受け取った場合に、キーボード１０２の現計キー等を介して、有効化カード５０等の代金が支払われたことを確定する入力を受け付ける。そして、売上登録部１０１１は、代金が支払われた商品の商品コード等を売上マスタファイル（不図示）に売上登録する。なお、売上登録部１０１１は、有効化カード５０の場合には、コードシンボル５１に含まれる商品コードと、有効化カードコードとを売上マスタファイルに売上登録する。
【００４５】
有効化要求部１０１２は、商品の支払いが確定した時点で、売上登録した商品に有効化カード５０が含まれている場合に、有効化処理を要求する。具体的には、有効化要求部１０１２は、キーボード１０２の現計キーを押下され、支払いが確定した場合に、通信制御部１０１３に有効化カードコードを店舗サーバ２０に送信させる。
【００４６】
通信制御部１０１３は、通信インタフェース１０６を制御して、店舗内ネットワークＮ１と接続する。これにより、通信制御部１０１３は、店舗サーバ２０と通信する。具体的には、送信手段である通信制御部１０１３は、店舗サーバ２０を介して、売上登録部１０１１における支払いの確定後、有効化要求部１０１２の要求に基づいて、有効化サーバ３０に有効化要求情報を送信する。有効化要求情報とは、有効化カードコードに対応付けられたＰＩＮコードの有効化を要求する情報である。そして、有効化要求情報は、有効化カードコードを有している。
【００４７】
また、受信手段である通信制御部１０１３は、有効化要求情報の返信として、店舗サーバ２０から有効化カード情報を受信する。有効化カード情報とは、送信した有効化要求情報が有する有効化カードコードの有効化カード５０が示している販売対象の提供を受けるために顧客端末６０に入力する情報である。有効化カード５０が示している販売対象の提供を受けるためには、顧客端末６０は、企業サーバ４０にＰＩＮコードを送信する必要がある。すなわち、有効化商品情報である有効化カード情報とは、ＰＩＮコードの企業サーバ４０への送信に関する情報である。具体的には、有効化カード情報は、有効化カード５０のＰＩＮコードと、ＰＩＮコードを入力するＷｅｂサイトのＷｅｂアドレスとを有している。
【００４８】
生成手段であるコードシンボル生成部１０１４は、有効化カード情報を基に、コードシンボル画像である２次元コードＲ１１，Ｇ１１（図１１、図１２及び図１３参照）を生成する。その際、コードシンボル生成部１０１４は、有効化カード情報ごとに２次元コードを生成する。具体的には、コードシンボル生成部１０１４は、有効化カード情報がＷｅｂアドレスを有している場合には、Ｗｅｂサイトを表示させることができる２次元コードを生成する。また、コードシンボル生成部１０１４は、有効化カード情報がＰＩＮコードを有している場合には、ＰＩＮコード入力欄Ｇ２１にＰＩＮコードが入力された状態のＰＩＮコード入力画面Ｇ２（図１４参照）を表示させる２次元コードＲ１１，Ｇ１１（図１１、図１２及び図１３参照）を生成する。
【００４９】
レシート発行部１０１５は、プリンタ１０７を制御してレシートを発行する。その際、レシート発行部１０１５は、売上登録した商品に有効化カード５０が含まれている場合に、コードシンボル生成部１０１４が生成した２次元コードを有するレシートＲ１ａ，Ｒ１ｂ（図１１及び図１２参照）を発行する。これにより、出力手段であるレシート発行部１０１５は、コードシンボル生成部１０１４が生成した２次元コードを印字出力する。
【００５０】
ここで、図１１は、有効化カード５０が含まれているレシートＲ１ａの一例を示す説明図である。レシート発行部１０１５は、有効化カード５０の有効化カード情報ごとに２次元コードＲ１１を有するレシートＲ１ａを発行する。図１１に示すレシートＲ１ａには、有効化カード５０として、有効化カードＢと有効化カードＤとが売上登録された商品に含まれている。よって、図１１に示すレシートＲ１ａには、２次元コードＲ１１が２つ印刷されている。そして、顧客端末６０は、２次元コードＲ１１を読み取ることによりＰＩＮコード入力画面Ｇ２（図１４参照）を表示する。
【００５１】
また、レシート発行部１０１５は、２次元コードＲ１１が何れの有効化カード５０の有効化カード情報に係る２次元コードＲ１１であるかを識別可能な態様でレシートＲ１ｂを発行してもよい。ここで、図１２は、有効化カード５０が含まれているレシートＲ１ｂの一例を示す説明図である。図１２に示すレシートＲ１ｂは、各有効化カード５０の下に２次元コードＲ１１が印刷されている。これにより、レシートＲ１ｂは、何れの有効化カード５０の有効化カード情報に係る２次元コードＲ１１であるかを識別可能としている。また、レシート発行部１０１５は、レシートＲ１ａ，Ｒ１ｂ以外の用紙に２次元コードＲ１１を印刷してもよい。また、レシート発行部１０１５は、２次元コードＲ１１を有する電子的な電子レシートを発行してもよい。以下、レシートＲ１ａ，Ｒ１ｂを区別しない場合には、単にレシートＲ１と説明する。
【００５２】
表示制御部１０１６は、第１表示部１０８及び第２表示部１０９への画面表示を制御する。表示制御部１０１６は、例えば、顧客が参照する第２表示部１０９に、有効化カード情報画面Ｇ１を表示する。ここで、図１３は、有効化カード情報画面Ｇ１の一例を示す説明図である。図１３に示す有効化カード情報画面Ｇ１は、有効化カード情報を示す２次元コードＧ１１を表示する画面である。そして、図１３に示す有効化カード情報画面Ｇ１は、有効化カードＢと、有効化カードＤとの有効化カード情報を示す２次元コードＧ１１を表示している。これにより、出力手段である表示制御部１０１６は、コードシンボル生成部１０１４が生成した２次元コードを表示出力する。そして、顧客端末６０は、２次元コードＧ１１を読み取ることによりＰＩＮコード入力画面Ｇ２（図１４参照）を表示することができる。
【００５３】
また、表示制御部１０１６は、顧客端末６０に２次元コードＧ１１を読み取らせるために有効化カード情報画面Ｇ１を表示する。よって、表示制御部１０１６は、少なくとも第２表示部１０９に有効化カード情報画面Ｇ１を表示すればよい。すなわち、表示制御部１０１６は、店員が参照する第１表示部１０８には有効化カード情報画面Ｇ１を表示しなくてもよい。
【００５４】
次に、店舗サーバ２０の機能構成について説明する。制御部２０１のＣＰＵは、記憶部２０５のプログラムをＲＡＭに展開し、プログラムに従って動作することで、図１０に示す各機能部をＲＡＭ上に生成する。具体的には、店舗サーバ２０は、機能部として、通信制御部２０１１と、情報生成部２０１２とを備える。
【００５５】
通信制御部２０１１は、通信インタフェース２０３を制御して、店舗内ネットワークＮ１及びネットワークＮ２と接続する。これにより、通信制御部２０１１は、ＰＯＳ端末１０や、有効化サーバ３０などと通信する。具体的には、通信制御部２０１１は、ＰＯＳ端末１０から有効化要求情報を受信する。そして、通信制御部２０１１は、有効化要求情報を有効化サーバ３０に送信する。また、通信制御部２０１１は、有効化応答情報を有効化サーバ３０から受信する。ここで、有効化応答情報とは、有効化要求情報の応答を示す情報である。そして、有効化応答情報は、有効化要求情報の有効化カードコードと、その有効化カードコードに対応付けられたＰＩＮコードとを有する。また、通信制御部２０１１は、情報生成部２０１２が生成した有効化カード情報をＰＯＳ端末１０に送信する。
【００５６】
情報生成部２０１２は、通信制御部２０１１が有効化応答情報を受信した場合に、有効化カード情報を生成する。具体的には、情報生成部２０１２は、有効化応答情報を受信した場合に、有効化応答情報から有効化カードコードと、ＰＩＮコードとを抽出する。そして、情報生成部２０１２は、商品マスタ２０５ａを参照して、有効化カードコードに対応付けられたＷｅｂアドレスを抽出する。そして、情報生成部２０１２は、ＰＩＮコードと、Ｗｅｂアドレスとを有する有効化カード情報を生成する。
【００５７】
次に、有効化サーバ３０の機能構成について説明する。制御部３０１のＣＰＵは、記憶部３０５のプログラムをＲＡＭに展開し、プログラムに従って動作することで、図１０に示す各機能部をＲＡＭ上に生成する。具体的には、有効化サーバ３０は、機能部として、通信制御部３０１１と、有効化判定部３０１２と、有効化設定部３０１３とを備える。
【００５８】
通信制御部３０１１は、通信インタフェース３０３を制御して、ネットワークＮ２と接続する。これにより、通信制御部３０１１は、店舗サーバ２０や、企業サーバ４０などと通信する。具体的には、通信制御部３０１１は、店舗サーバ２０から有効化要求情報を受信する。そして、通信制御部３０１１は、有効化応答情報を店舗サーバ２０に送信する。また、通信制御部３０１１は、企業サーバ４０から判定要求情報を受信する。判定要求情報とは、ＰＩＮコードが有効化されているか否かの判定を求める情報である。そして、判定要求情報は、ＰＩＮコードを有している。また、通信制御部３０１１は、判定結果情報を企業サーバ４０に送信する。判定結果情報とは、ＰＩＮコードが有効化されているか否かの結果情報を示す情報である。
【００５９】
有効化判定部３０１２は、企業サーバ４０から判定要求情報を受信した場合に、有効化カードマスタ３０５ａを参照し、受信したＰＩＮコードが有効化されているか否かを判定する。そして、有効化判定部３０１２は、判定結果から判定結果情報を生成する。
【００６０】
有効化設定部３０１３は、店舗サーバ２０から有効化要求情報を受信した場合に、有効化カードコードに対応付けられた有効化状態を有効にする。具体的には、有効化設定部３０１３は、店舗サーバ２０から有効化要求情報を受信した場合に、有効化要求情報から有効化カードコードを抽出する。そして、有効化設定部３０１３は、有効化カードマスタ３０５ａで、有効化カードコードに対応付けられた有効化状態を有効にする。
【００６１】
次に、企業サーバ４０の機能構成について説明する。制御部４０１のＣＰＵは、記憶部４０５のプログラムをＲＡＭに展開し、プログラムに従って動作することで、図１０に示す各機能部をＲＡＭ上に生成する。具体的には、企業サーバ４０は、機能部として、通信制御部４０１１と、商品提供部４０１２とを備える。
【００６２】
通信制御部４０１１は、通信インタフェース４０３を制御して、ネットワークＮ２と接続する。これにより、通信制御部４０１１は、顧客端末６０や、有効化サーバ３０などと通信する。具体的には、通信制御部４０１１は、顧客端末６０から認証要求情報を受信する。認証要求情報とは、ＰＩＮコードの認証を求める情報である。そして、認証要求情報は、ＰＩＮコードを有している。また、通信制御部４０１１は、判定要求情報を有効化サーバ３０に送信する。また、通信制御部４０１１は、有効化サーバ３０から判定結果情報を受信する。そして、通信制御部４０１１は、認証応答情報を顧客端末６０に送信する。認証応答情報とは、認証要求情報に含まれるＰＩＮコードの認証結果を示す情報である。
【００６３】
商品提供部４０１２は、有効化カード５０のＰＩＮコードが有効化されていることを示す判定結果情報を受信した場合に、有効化カード５０の商品を提供する。
【００６４】
次に、顧客端末６０の機能構成について説明する。制御部６０１のＣＰＵは、記憶部６０６のプログラムをＲＡＭに展開し、プログラムに従って動作することで、図１０に示す各機能部をＲＡＭ上に生成する。具体的には、顧客端末６０は、機能部として、コード読取部６０１１と、表示制御部６０１２と、通信制御部６０１３とを備える。
【００６５】
コード読取部６０１１は、レシートＲ１から２次元コードＲ１１を読み取る。または、コード読取部６０１１は、第２表示部１０９に表示された有効化カード情報画面Ｇ１から２次元コードＧ１１を読み取る。具体的には、コード読取部６０１１は、撮像部６０２を制御して２次元コードＲ１１，Ｇ１１を撮像する。そして、コード読取部６０１１は、撮像した画像から２次元コードＲ１１，Ｇ１１を検出する。そして、コード読取部６０１１は、検出した２次元コードＲ１１，Ｇ１１から有効化カード情報を読み取る。これにより、コード読取部６０１１は、２次元コードＲ１１，Ｇ１１を読み取る。
【００６６】
表示制御部６０１２は、表示部６０４への画面表示を制御する。表示制御部６０１２は、コード読取部６０１１が２次元コードＲ１１，Ｇ１１を読み取った場合に、２次元コードＲ１１，Ｇ１１が有するＷｅｂアドレスが示すＰＩＮコード入力画面Ｇ２を表示する。ここで、図１４は、ＰＩＮコード入力画面Ｇ２の一例を示す説明図である。入力画面であるＰＩＮコード入力画面Ｇ２は、企業サーバ４０に送信するＰＩＮコードを入力する画面である。図１４に示すＰＩＮコード入力画面Ｇ２は、ＰＩＮコード入力欄Ｇ２１と、確定ボタンＧ２２とを有する。ＰＩＮコード入力欄Ｇ２１は、ＰＩＮコードを入力する欄である。確定ボタンＧ２２は、ＰＩＮコード入力欄Ｇ２１に入力されたＰＩＮコードを確定するボタンである。
【００６７】
また、表示制御部６０１２は、コード読取部６０１１が２次元コードＲ１１，Ｇ１１を読み取った場合に、ＰＩＮコード入力欄Ｇ２１にＰＩＮコードが入力された状態のＰＩＮコード入力画面Ｇ２を表示させる。そして、図１４に示すＰＩＮコード入力欄Ｇ２１は、ＰＩＮコードとして「ＡＢＣＤ１２３４５６７８９」が入力されている状態を示している。
【００６８】
また、表示制御部６０１２は、コード読取部６０１１が読み取った２次元コードＲ１１，Ｇ１１にＰＩＮコードが含まれていない場合には、ＰＩＮコード入力欄Ｇ２１にＰＩＮコードが入力されていない状態のＰＩＮコード入力画面Ｇ２を表示させる。
【００６９】
また、表示制御部６０１２は、ＰＩＮコード入力画面Ｇ２を表示中に、コード読取部６０１１が２次元コードＲ１１，Ｇ１１を読み取った場合に、ＰＩＮコード入力欄Ｇ２１にＰＩＮコードを入力したＰＩＮコード入力画面Ｇ２を表示させる。この場合には、２次元コードＲ１１，Ｇ１１に、Ｗｅｂアドレスは含まれていなくてもよい。
【００７０】
通信制御部６０１３は、通信インタフェース６０３を制御して、ネットワークＮ２と接続する。これにより、通信制御部６０１３は、企業サーバ４０などと通信する。具体的には、通信制御部６０１３は、ＷｅｂサイトであるＰＩＮコード入力画面Ｇ２を介して、企業サーバ４０にＰＩＮコードを有する認証要求情報を送信する。そして、通信制御部６０１３は、企業サーバ４０から認証応答情報を受信する。
【００７１】
次に、上述した実施形態にかかるＰＯＳ端末１０の制御部１０１がプログラムに従って実行する会計処理について説明する。
【００７２】
図１５は、ＰＯＳ端末１０の制御部１０１がプログラムに従って実行する会計処理の流れを示すフローチャートである。会計処理とは、顧客の購入希望の商品の支払いに係る処理である。
【００７３】
まず、ＰＯＳ端末１０の制御部１０１（売上登録部１０１１）は、バーコードリーダ１０３を介して、商品コードを読み取ることができるか否かを判定する（ステップＳ１１）。商品コードを読み取ることができない場合に（ステップＳ１１；Ｎｏ）、ＰＯＳ端末１０の制御部１０１（売上登録部１０１１）は、会計処理を待機する。
【００７４】
一方、商品コードを読み取ることができた場合に（ステップＳ１１；Ｙｅｓ）、ＰＯＳ端末１０の制御部１０１（売上登録部１０１１）は、入力された商品コードを売上登録する（ステップＳ１２）。
【００７５】
次いで、ＰＯＳ端末１０の制御部１０１（売上登録部１０１１）は、締めキーの押下が検出されるか否かを判定する（ステップＳ１３）。締めキーの押下が検出されない場合に（ステップＳ１３；Ｎｏ）、ＰＯＳ端末１０の制御部１０１（売上登録部１０１１）は、ステップＳ１１に移行する。
【００７６】
一方、締めキーの押下が検出された場合に（ステップＳ１３；Ｙｅｓ）、ＰＯＳ端末１０の制御部１０１（売上登録部１０１１）は、支払いを確定する現計キーの押下が検出されるか否か判定する（ステップＳ１４）。現計キーの押下が検出されない場合に（ステップＳ１４；Ｎｏ）、ＰＯＳ端末１０の制御部１０１（売上登録部１０１１）は、会計処理を待機する。
【００７７】
一方、現計キーの押下が検出された場合に（ステップＳ１４；Ｙｅｓ）、ＰＯＳ端末１０の制御部１０１（有効化要求部１０１２）は、売上登録された商品に有効化カード５０が含まれているか否かを判定する（ステップＳ１５）。
【００７８】
売上登録された商品に有効化カード５０が含まれていない場合に（ステップＳ１５；Ｎｏ）、ＰＯＳ端末１０の制御部１０１（レシート発行部１０１５）は、レシートＲ１を発行する（ステップＳ１６）。
【００７９】
売上登録された商品に有効化カード５０が含まれている場合に（ステップＳ１５；Ｙｅｓ）、ＰＯＳ端末１０の制御部１０１は、後述する有効化処理を実行する（ステップＳ１７）。
【００８０】
次いで、ＰＯＳ端末１０の制御部１０１（表示制御部１０１６）は、有効化カード情報画面Ｇ１を表示する（ステップＳ１８）。
【００８１】
次いで、ＰＯＳ端末１０の制御部１０１（レシート発行部１０１５）は、レシートＲ１を発行する（ステップＳ１９）。
【００８２】
以上により、ＰＯＳ端末１０の制御部１０１は、会計処理を実行する。
【００８３】
次に、上述した実施形態にかかる有効化システム１の各装置がプログラムに従って実行する有効化処理について説明する。
【００８４】
図１６は、有効化システム１の各装置がプログラムに従って実行する有効化処理の流れを示すフローチャートである。
【００８５】
まず、ＰＯＳ端末１０の制御部１０１（通信制御部１０１３）は、売上登録された有効化カード５０の有効化カードコードを有する有効化要求情報を店舗サーバ２０に送信する（ステップＳ２１）。
【００８６】
次いで、店舗サーバ２０の制御部２０１（通信制御部２０１１）は、送信された有効化要求情報を受信する（ステップＳ２２）。次いで、店舗サーバ２０の制御部２０１（通信制御部２０１１）は、受信した有効化要求情報を有効化サーバ３０に送信する（ステップＳ２３）。
【００８７】
次いで、有効化サーバ３０の制御部３０１（通信制御部３０１１）は、送信された有効化要求情報を受信する（ステップＳ２４）。次いで、有効化サーバ３０の制御部３０１（有効化設定部３０１３）は、有効化カードマスタ３０５ａを参照し、有効化要求情報に含まれる有効化カードコードに対応付けられた有効化状態を有効化する（ステップＳ２５）。
【００８８】
次いで、有効化サーバ３０の制御部３０１（通信制御部３０１１）は、有効化応答情報を店舗サーバ２０に送信する（ステップＳ２６）。
【００８９】
次いで、店舗サーバ２０の制御部２０１（通信制御部２０１１）は、有効化応答情報を受信する（ステップＳ２７）。次いで、店舗サーバ２０の制御部２０１（情報生成部２０１２）は、有効化カード情報を生成する（ステップＳ２８）。次いで、店舗サーバ２０の制御部２０１（通信制御部２０１１）は、生成した有効化カード情報をＰＯＳ端末１０に送信する（ステップＳ２９）。
【００９０】
ＰＯＳ端末１０の制御部１０１（通信制御部１０１３）は、送信された有効化カード情報を受信する（ステップＳ３０）。次いで、ＰＯＳ端末１０の制御部１０１（有効化要求部１０１２）は、売上登録された全ての有効化カード５０に対して有効化処理を実行したか否かを判定する（ステップＳ３１）。
【００９１】
売上登録された全ての有効化カード５０に対して有効化処理を実行していない場合に（ステップＳ３１；Ｎｏ）、ＰＯＳ端末１０の制御部１０１（有効化要求部１０１２）は、ステップＳ２１に移行する。
【００９２】
一方、売上登録された全ての有効化カード５０に対して有効化処理を実行した場合に（ステップＳ３１；Ｙｅｓ）、ＰＯＳ端末１０の制御部１０１（有効化要求部１０１２）は、有効化処理を終了する。
【００９３】
以上により、有効化システム１の各装置は、有効化処理を実行する。
【００９４】
次に、上述した実施形態にかかる有効化システム１の各装置がプログラムに従って実行する商品提供処理について説明する。
【００９５】
図１７は、有効化システム１の各装置がプログラムに従って実行する商品提供処理の流れを示すフローチャートである。
【００９６】
まず、顧客端末６０の制御部６０１（コード読取部６０１１）は、レシートＲ１又は有効化カード情報画面Ｇ１の２次元コードＲ１１，Ｇ１１を読み取ることができるか否かを判定する（ステップＳ４１）。２次元コードＲ１１，Ｇ１１を読み取ることができない場合に（ステップＳ４１；Ｎｏ）、顧客端末６０の制御部６０１（コード読取部６０１１）は、商品受取処理を待機する。
【００９７】
一方、２次元コードＲ１１，Ｇ１１を読み取ることができた場合に（ステップＳ４１；Ｙｅｓ）、顧客端末６０の制御部６０１（コード読取部６０１１）は、２次元コードＲ１１，Ｇ１１からＷｅｂアドレスを抽出する（ステップＳ４２）。
【００９８】
次いで、顧客端末６０の制御部６０１（表示制御部６０１２）は、ＰＩＮコード入力画面Ｇ２を表示部６０４に表示する（ステップＳ４３）。そして、顧客端末６０の制御部６０１（通信制御部６０１３）は、ＰＩＮコード入力画面Ｇ２に表示されたＰＩＮコードを確定する入力がされた場合に、認証要求情報を企業サーバ４０に送信する（ステップＳ４４）。
【００９９】
企業サーバ４０の制御部４０１（通信制御部４０１１）は、送信された認証要求情報を受信する（ステップＳ４５）。次いで、企業サーバ４０の制御部４０１（通信制御部４０１１）は、判定要求情報を有効化サーバ３０に送信する（ステップＳ４６）。
【０１００】
次いで、有効化サーバ３０の制御部３０１（通信制御部３０１１）は、判定要求情報を受信する（ステップＳ４７）。有効化サーバ３０の制御部３０１（有効化判定部３０１２）は、ＰＩＮコードマスタ４０５ａを参照して、判定要求情報に含まれるＰＩＮコードの有効化状態が有効化されているか否かを判定する（ステップＳ４８）。次いで、有効化サーバ３０の制御部３０１（通信制御部３０１１）は、企業サーバ４０に判定結果情報を送信する（ステップＳ４９）。
【０１０１】
次いで、企業サーバ４０の制御部４０１（通信制御部４０１１）は、送信された判定結果情報を受信する（ステップＳ５０）。次いで、企業サーバ４０の制御部４０１（商品提供部４０１２）は、判定結果情報からＰＩＮコードが有効化されていたか否かを判定する（ステップＳ５１）。
【０１０２】
ＰＩＮコードが有効化されていた場合に（ステップＳ５１；Ｙｅｓ）、企業サーバ４０の制御部４０１（商品提供部４０１２）は、有効化カード５０が示している商品を顧客に提供する（ステップＳ５２）。
【０１０３】
一方、ＰＩＮコードが有効化されていない場合に（ステップＳ５１；Ｎｏ）、企業サーバ４０の制御部４０１（商品提供部４０１２）は、商品を顧客に提供しない。
【０１０４】
次いで、企業サーバ４０の制御部４０１（通信制御部４０１１）は、認証応答情報を顧客端末６０に送信する（ステップＳ５３）。
【０１０５】
顧客端末６０の制御部６０１（通信制御部６０１３）は、送信された認証応答情報を受信する（ステップＳ５４）。次いで、顧客端末６０の制御部６０１（表示制御部６０１２）は、認証応答情報を表示部６０４に表示する（ステップＳ５５）。
【０１０６】
以上により、有効化システム１の各装置は、商品提供処理を実行する。
【０１０７】
以上のように、本実施形態のＰＯＳ端末１０によれば、売上登録部１０１１は、支払いの確定後、ＰＩＮコードを有効化する有効化カード５０を売上登録する。支払いの確定により有効化カード５０が売上登録されると、通信制御部１０１３は、有効化要求情報を有効化サーバ３０に送信する。また、通信制御部１０１３は、返信として、ＰＩＮコードの送信に関する有効化カード情報を受信する。そして、レシート発行部１０１５は、有効化カード情報を基に生成した２次元コードＲ１１を有するレシートＲ１を発行する。２次元コードＲ１１，Ｇ１１が示す有効化カード情報には、ＰＩＮコードの企業サーバ４０への送信に関する情報として、ＰＩＮコードと、ＰＩＮコードを入力するＷｅｂサイトのＷｅｂアドレスとが含まれている。よって、顧客は、手作業でＰＩＮコードを入力する作業や、手作業でＰＩＮコードを入力する画面を表示させる作業が不要となる。よって、有効化カードが示す販売対象の提供を受けるための作業負担を軽減することができる。
【０１０８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１０９】
また、上記実施形態では、顧客端末６０は、ＰＩＮコードをＷｅｂサイトに入力することで、企業サーバ４０に送信すると説明している。しかしながら、ＰＩＮコードの入力先は、Ｗｅｂサイトに限らない。例えば、顧客端末６０は、ＰＩＮコードをアプリケーションの入力欄などに入力することで、企業サーバ４０に送信してもよい。
【０１１０】
上記実施形態や変形例の各装置で実行されるプログラムは、各装置が備える記憶媒体（ＲＯＭ又は記憶部）に予め組み込んで提供するものとするが、これに限らないものとする。例えば、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【０１１１】
また、上記実施形態や変形例の各装置で実行されるプログラムをインターネット等のネットワークに接続されたコンピュータ上に格納し、ネットワーク経由でダウンロードさせることにより提供するように構成してもよいし、インターネット等のネットワーク経由で提供又は配布するように構成してもよい。
【符号の説明】
【０１１２】
１  有効化システム
１０  ＰＯＳ端末  
１０１１  売上登録部
１０１２  有効化要求部
１０１３  通信制御部
１０１４  コードシンボル生成部
１０１５  レシート発行部
１０１６  表示制御部
２０  店舗サーバ
２０１１  通信制御部
２０１２  情報生成部
３０  有効化サーバ
３０１１  通信制御部
３０１２  有効化判定部
３０１３  有効化設定部
４０  企業サーバ
４０１１  通信制御部
４０１２  商品提供部
５０  有効化カード
６０  顧客端末
６０１１  コード読取部
６０１２  表示制御部
６０１３  通信制御部
Ｒ１ａ，Ｒ１ｂ  レシート
Ｒ１１，Ｇ１１  ２次元コード
Ｇ２  ＰＩＮコード入力画面
【先行技術文献】
【特許文献】
【０１１３】
【特許文献１】特開２０１４−２２６７９８号公報
【図１】
2016181147.tif 000003
【図２】
2016181147.tif 000004
【図３】
2016181147.tif 000005
【図４】
2016181147.tif 000006
【図５】
2016181147.tif 000007
【図６】
2016181147.tif 000008
【図７】
2016181147.tif 000009
【図８】
2016181147.tif 000010
【図９】
2016181147.tif 000011
【図１０】
2016181147.tif 000012
【図１１】
2016181147.tif 000013
【図１２】
2016181147.tif 000014
【図１３】
2016181147.tif 000015
【図１４】
2016181147.tif 000016
【図１５】
2016181147.tif 000017
【図１６】
2016181147.tif 000018
【図１７】
2016181147.tif 000019